(57)【要約】      （修正有）【課題】折り畳み式の電子設備に組み込まれる新型マイクロフォンの構造を提供する。【解決手段】マイクロフォンは、一つの音響センサー１０及び一つの回路チップ１１と連接した第１の層板１と、第１の層板１を覆う第２の層板２とを有する。第１の層板１と第２の層板２によりマイクロフォンの音響共振器３が構成される。マイクロフォンの音響共振器３には、二つの音響スルーホール１２、２０ａが設けられる。二つの音響スルーホール１２、２０ａはマイクロフォンの音響共振器３のお互いに対向するまたはお互いに隣接する両面に設けられる。【選択図】図１
2019097142.tif 000002
【特許請求の範囲】
【請求項１】
新型マイクロフォンの構造において、
一つの音響センサー及び一つの回路チップと連接する第1の層板と、
上記の第１の層板を覆う第２の層板と、
を具備し、
上記の第１の層板と上記の第２の層板とにより、マイクロフォンの音響共振器が構成され、マイクロフォンの音響共振器におけるお互いに対向する両面あるいはお互いに隣接する両面には、音響スルーホールが二つ設けられていることを特徴とする新型マイクロフォンの構造。
【請求項２】
上記の第1の層板には第１の音響スルーホールが設けられ、上記の第２の層板の第１面には第２の音響スルーホールが設けられ、上記の第１の音響スルーホールと上記の第２の音響スルーホールはそれぞれ上記のマイクロフォンの音響共振器のお互いに対向する両面に設けられていることを特徴とする請求項１記載の新型マイクロフォンの構造。
【請求項３】
上記の第１の音響スルーホールと上記の第２の音響スルーホールとはお互いにアライメントをするように設けられていることを特徴とする請求項２記載の新型マイクロフォンの構造。
【請求項４】
上記の第１の層板には第１の音響スルーホールが設けられ、上記の第２の層板の第２面には第２の音響スルーホールが設けられ、上記の第１の音響スルーホールと上記の第２の音響スルーホールはそれぞれ上記のマイクロフォンの音響共振器のお互いに隣接する両面に設けられていることを特徴とする請求項１記載の新型マイクロフォンの構造。
【請求項５】
上記の第２の層板の第１面には第１の音響スルーホールが設けられ、上記の第２の層板の第2面には第２の音響スルーホールが設けられ、上記の第１の音響スルーホールと上記の第２の音響スルーホールはそれぞれ上記のマイクロフォンの音響共振器のお互いに隣接する両面に設けられていることを特徴とする請求項１記載の新型マイクロフォンの構造。
【請求項６】
上記の第１の層板はプリント基板であり、上記のプリント基板の底部にはパッドが設けられていることを特徴とする請求項１記載の新型マイクロフォンの構造。
【請求項７】
上記の音響センサーと上記の回路チップとはリードで連接されていることを特徴とする請求項１記載の新型マイクロフォンの構造。
【請求項８】
折り畳み式の電子設備において、
折り畳むことのできる蓋を含み、上記の蓋には少なくとも二つのスルーホールが設置され、上記の少なくとも二つのスルーホールは上記の蓋のお互いに対向する/またはお互いに隣接する両面に設けられ、上記のスルーホールのうちに請求項１から７までの何れかに記載の新型マイクロフォンの構造が設けられていることを特徴とする折り畳み式の電子設備。
【請求項９】
少なくとも二つの上記のスルーホールは上記の新型マイクロフォンの構造の二つの上記の音響スルーホールとそれぞれ相互アライメントをするように設けられていることを特徴とする請求項８に記載の折り畳み式の電子設備。
【請求項１０】
上記の折り畳み式の電子設備はノートパソコンであることを特徴とする請求項８記載の折り畳み式の電子設備。
【発明の詳細な説明】
【技術分野】
【０００１】
本発明はマイクロエレクトロニクスの技術分野に関し、特に新型マイクロフォンの構造及び折り畳み式の電子設備に関するものである。
【背景技術】
【０００２】
移動マルチメディア技術の発展とともに、電子製品が小型化、集積化に向けて発展し続けている。電気音響分野における電子製品では、マイクロフォンは音声信号を電気信号に変換するために用いられる。
【０００３】
現在、ノートパソコンは機能がますます多くなり、あるノートパソコンは音声入力と、ネットによる音声通信と、録音などとの機能を具備し、すなわち、ノートパソコンは音声応用機能を具備する。従来のノートパソコンのパネルにはサウンドホールが設けられ、サウンドホールの開口方向はパソコンのスクリーンの向け方向と同じであり、ノートパソコンを閉じるとき、サウンドホールも閉じられるため、効果的に音声を受けることができなく、よって、ユーザーに不便をもたらした。
【発明の概要】
【０００４】
上記の既存技術問題に対して、本発明は内外で音声を受信できる新型マイクロフォンの構造及び折り畳み式の電子設備を提供する。具体的な技術方案は以下の通りである。
【０００５】
本発明の新型マイクロフォンの構造は以下の通りであり、すなわち、
一つの音響センサー及び一つの回路チップと連接する第１の層板と、
上記の第１の層板を覆う第２の層板と、
を具備するもので、
上記の第１の層板と上記の第２の層板とにより、マイクロフォンの音響共振器（Acoustic cavity）が構成され、マイクロフォンの音響共振器のお互いに対向する両面あるいはお互いに隣接する両面には、音響スルーホールが二つ設けられている。
【０００６】
好ましくは、上記の第１の層板には第１の音響スルーホールが設けられ、上記の第２の層板の第１面には第２の音響スルーホールが設けられ、上記の第１の音響スルーホールと上記の第２の音響スルーホールはそれぞれ上記のマイクロフォンの音響共振器のお互いに対向する両面に設けられる。
【０００７】
好ましくは、上記の第１の音響スルーホールと上記の第２の音響スルーホールとは相互アライメントをするように設けられる。
【０００８】
好ましくは、上記の第１の層板には第１の音響スルーホールが設けられ、上記の第２の層板の第２面には第２の音響スルーホールが設けられ、上記の第1の音響スルーホールと上記の第２の音響スルーホールはそれぞれ上記のマイクロフォンの音響共振器のお互いに隣接する両面に設けられる。
【０００９】
好ましくは、上記の第２の層板の第１面には第１の音響スルーホールが設けられ、上記の第２の層板の第２面には第２の音響スルーホールが設けられ、上記の第１の音響スルーホールと上記の第２の音響スルーホールはそれぞれ上記のマイクロフォンの音響共振器のお互いに隣接する両面に設けられる。
【００１０】
好ましくは、上記の第１の層板はプリント基板であり、上記のプリント基板の底部にパッドが設けられる。
【００１１】
好ましくは、上記の音響センサーと上記の回路チップとはリードで連接される。
【００１２】
本発明の折り畳み式の電子設備において、折り畳むことのできる蓋を含み、上記の蓋には少なくとも二つのスルーホールが設けられ、少なくとも二つの上記のスルーホールが上記の蓋のお互いに対向する/またはお互いに隣接する両面に設けられ、上記のスルーホールのうちに上記の何れかに記載の新型マイクロフォンの構造が設けられる。
【００１３】
好ましくは、少なくとも二つの上記のスルーホールは上記の新型マイクロフォンの構造の二つの上記の音響スルーホールとそれぞれ相互アライメントをするように設けられる。
【００１４】
好ましくは、上記の折り畳み式の電子設備はノートパソコンである。
【００１５】
本発明の技術案は、新型マイクロフォンの構造におけるマイクロフォンの音響共振器には音響スルーホールが二つ設けられ、二つの音響スルーホールがマイクロフォンの音響共振器のお互いに対向する/またはお互いに隣接する両面に設けられるため、新型マイクロフォンの構造のインストール位置を変えることにより、折り畳み式の電子設備を使うときに内外で受信した音声を一致にさせ、それに、折り畳み式の電子設備の蓋が閉じる場合、外部にも音声を受信することができる。
【図面の簡単な説明】
【００１６】
【図１】図1は、本発明の新型マイクロフォンの構造の実施例１の構造図である。
【図２】図２は、本発明の新型マイクロフォンの構造の実施例２の構造図である。
【図３】図３は、本発明の新型マイクロフォンの構造の実施例３の構造図である。
【図４】図４は、本発明の実施例の、折り畳み式の電子設備の正面分解図である。
【図５】図５は本発明の実施例の、折り畳み式の電子設備の反面分解図である。
【発明を実施するための形態】
【００１７】
以下図面を参照しながら、本発明の実施例をより十分に説明する。だたし、図面はただ説明と記述をするためのものだけで、本発明の範囲を制限するものではない。
【００１８】
以下は、本発明の実施例の図面を参照しながら、本発明の実施例の技術案を明確にに、完全的に説明する。明らかに、記述した実施例はただ本発明の一部の実施例であり、実施例の全部ではない。本発明の実施例に基づいて、当業者が創造的な労働をしなくても取得される実施例は全て本発明の保護範囲内に属するものである。
【００１９】
説明すべきものは、衝突しない場合、本発明の実施例及び実施例における特徴をお互いに組み合わせることができる。
【００２０】
以下、図面と具体的な実施例とを参照して、本発明を詳しく説明するが、本発明に対しての限定ではない。
【００２１】
本発明が提供した新型マイクロフォンの構造においては、
一つの音響センサー１０及び一つの回路チップ１１と連接する第１の層板１と、
上記の第１の層板１を覆う第２の層板２と、
を具備し、
上記の第１の層板１と上記の第２の層板２により、マイクロフォンの音響共振器３は構成され、二つの音響スルーホールが上記のマイクロフォンの音響共振器３のお互いに対向する、またはお互いに隣接する両面に設けられている。
【００２２】
上記の新型マイクロフォンの構造において、図１に示したように、まず、音響センサー１０により、音波信号を電圧信号に変換して、回路チップ１１により、出力された電圧信号を信号処理して、それに、アナログ信号をデジタル信号に変換して、最終的にデジタル信号を取得して、また、第１の層板１と第２の層板２により、マイクロフォンの音響共振器３は構成され、二つの音響スルーホールがマイクロフォンの音響共振器３のお互いに対向する、またはお互いに隣接する両面に設けられている。新型マイクロフォンの構造のインストール位置を変えることにより、各種の折り畳み式の電子設備に適用することができ、マイクロフォンの音響共振器３の内部を外部とつなげて、最終的に音声信号を外部に伝送する。
【００２３】
好ましい実施例では、第１の層板１に第１の音響スルーホール１２が設けられ、第２の層板２の第1面２ａに第２の音響スルーホール２０ａが設けられ、第１の音響スルーホール１２と第２の音響スルーホール２０ａはそれぞれマイクロフォンの音響共振器３のお互いに対向する両面に設けられる。
【００２４】
また、好ましい実施例では、第１の音響スルーホール１２と第２の音響スルーホール２０ａとはお互いにアライメントをするように設けられている。
【００２５】
具体的に、本発明の実施例１では、図１に示したように、第１の層板１には第１の音響スルーホール１２が設けられ、第２の層板２の第１面２ａには第２の音響スルーホール２０ａが設けられ、第１の音響スルーホール１２と第２の音響スルーホール２０ａはそれぞれマイクロフォンの音響共振器３のお互いに対向する両面に設けられ、それに、第１の音響スルーホール１２と第２の音響スルーホール２０ａとは相互アライメントをするように設けられ、第１の音響スルーホール１０と第２の音響スルーホール２０ａの内部と外部とで受信した音声を一致させる。
【００２６】
また、好ましい実施例では、第１の層板１に第１の音響スルーホール１２が設けられ、第２の層板２の第２面２ｂに第２の音響スルーホール２０ｂが設けられ、第１の音響スルーホール１２と第２の音響スルーホール２０ｂはそれぞれ上記のマイクロフォンの音響共振器３のお互いに隣接する両面に設けられる。
【００２７】
具体的には、本発明の実施例２では、図２に示したように、第１の層板１には第１の音響スルーホール１２が設けられ、第２の層板２の第２面２ｂには第２の音響スルーホール２０ｂが設けられ、第１の音響スルーホール１２と第２の音響スルーホール２０ｂとはそれぞれマイクロフォンの音響共振器３のお互いに隣接する両面に設けられ、新型マイクロフォンの構造のインストール位置を変えることにより、当該新型マイクロフォンの構造をより多くの折り畳み式の電子設備に適用することができる。
【００２８】
また、好ましい実施例では、第２の層板２の第１面２ａに第１の音響スルーホール２０ａが設けられ、第２の層板２の第２面２ｂに第２の音響スルーホール２０ｂが設けられ、第１の音響スルーホール２０ａと上記の第２の音響スルーホール２０ｂはそれぞれマイクロフォンの音響共振器３のお互いに隣接する両面に設けられる。
【００２９】
具体的には、本発明の実施例３では、図３に示したように、第２の層板２の第１面２ａには第１の音響スルーホール２０ａが設けられ、第２の層板２の第２面２ｂには第２の音響スルーホール２０ｂが設けられ、第１の音響スルーホール２０ａと第２の音響スルーホール２０ｂはそれぞれマイクロフォンの音響共振器２のお互いに隣接する両面に設けられ、新型マイクロフォンの構造のインストール位置を変えることにより、当該新型マイクロフォンの構造をより多くの折り畳み式の電子設備に適用することができる。
【００３０】
好ましい実施例では、第１の層板１はプリント基板であり、プリント基板の底部にパッドが設置される。
【００３１】
好ましい実施例では、音響センサー１０と回路チップ１１とはリードで連接される。プリント基板及びリードにより、第１の層板のにある音響センサー１０と回路チップ１１とが外部電源に連接され、完全な回路が形成され、よって信号変更は行われる。
【００３２】
説明する必要があるのは、音響センサー１０と回路チップ１１は当分野の技術であり、これ以上は贅言をしない。
【００３３】
本発明の折り畳み式の電子設備においては、折り畳み可能の蓋４を含み、蓋４には少なくとも二つのスルーホール４０が設けられ、少なくとも二つのスルーホール４０が蓋４のお互いに対向する、またはお互いに隣接する両面に設けられ、スルーホール４０のうちに上記の任意の新型マイクロフォンの構造がインストールされる。
【００３４】
好ましい実施例では、少なくとも二つのスルーホール４０は新型マイクロフォンの構造の二つの音響スルーホールとそれぞれ相互アライメントをするように設けられている。
【００３５】
好ましい実施例では、折り畳み式の電子設備はノートパソコンである。
【００３６】
具体的には、図４に示したのはノートパソコンの正面分解図であり、図５に示したのはノートパソコンの反面分解図である。
【００３７】
さらに、ユーザーは本発明実施例１と実施例２と実施例３とから新型マイクロフォンの構造を選択することができ、新型マイクロフォンの構造のインストール位置を変換することにより、折り畳み式の電子設備の蓋４の、お互いに対向する、またはお互いに隣接する両面でも同じ音声を受信することができ、それに、ノートパソコンが閉じる場合、外部でも音声を受信することができる。
【００３８】
以上述べたのはただ本発明の好ましい実施例だけで、本発明の実施形態や保護範囲を制限するものではない。当業者に対して、本発明の明細書お及び図面の内容を使って、等しい置換や変更によって作り出された方案は全て本発明の保護範囲内に含まれることに意識すべきである。
【図１】
2019097142.tif 000003
【図２】
2019097142.tif 000004
【図３】
2019097142.tif 000005
【図４】
2019097142.tif 000006
【図５】
2019097142.tif 000007